(57)【特許請求の範囲】
【請求項１】
調節突部を所定間隔で配設したベルトと、ベルトの挿通孔を横設し取付部を備える基体と、挿通孔に直交して可動し調節突部と係脱可能な係止突部を備える操作部とから形成され、基体の上端部に形成される貫通孔の下端面と、操作部の頭部から一端面側に突出して形成される係合部とが係合するウエストサイズ調節具において、
操作部は、頭部の下端から係止突部を備えるベース部を延設し、
ベース部の下端から弾性を有する脚部を延設して形成され、
操作部の脚部は略く字状に形成され、下方に位置する当接片が底部と平行に形成され、
基体の取付部に弾性を有する湾曲部を覆設部方向に突出させ、
操作部の頭部を押圧することで、基体における底部の上端面を押圧して脚部が屈設することを特徴とするウエストサイズ調節具。
【請求項２】
基体における覆設部に貫通孔を設け、係止突部と対向するベース部の端面にガイド部を突出させ、ガイド部が貫通孔に嵌入する請求項１に記載のウエストサイズ調節具。
【請求項３】
基体の底部に操作部を収納する溝部を備える請求項１又は２に記載のウエストサイズ調節具。
【請求項４】
基体の湾曲部にリブを備える請求項１乃至請求項３のいずれか１項に記載のウエストサイズ調節具。
【発明の詳細な説明】
【技術分野】
【０００１】
本発明は、主としてズボンやスカート等のウエストサイズを調整する為にウエスト部に取り付けて使用され、これらのサイズを一定範囲内において調整可能とするウエストサイズ調節具に関する。
【背景技術】
【０００２】
従来から、ズボン或いはスカート等の衣服のウエストサイズを調整可能とするウエストサイズ調節具が知られている。
例えば、調節突部を所定間隔で配設したベルト、ベルト用の挿通孔を横設し基板に取付部を配設した基体、挿通孔に対し直交する形で可動して調節突部と係脱可能な係止突部を備えた操作部とから形成し、操作部は平板で上側に頭部、該頭部の下端から挿入片を突設し、挿入片の両側に弾性脚部を内側へ向けて湾曲する形に形成し、基体の底部に挿入片の挿入用の挿入部と、その両側に弾性脚部の先端保持用の保持部とを設け、挿入部は、底部から上方へ向かって立設する壁面と、側壁とにより包囲する形に形成され、保持部は、挿入部の両側で側壁と底部とから形成され、操作部の頭部を押圧すると、弾性脚部の先端が側壁を押圧して弾性脚部が弾性変形可能に形成してなることをウエストサイズ調節具が公知である（例えば、特許文献１参照）。
【先行技術文献】
【特許文献】
【０００３】
【特許文献１】特許第４２５１９５７号公報
【発明の概要】
【発明が解決しようとする課題】
【０００４】
当該構成においては、ベルトに取り付ける生地が薄い場合には、基板と生地との間に空間が生じるので、調節突部と操作部ががたついたり、当接音が生じたりする虞がある。また、薄い生地を取り付ける為に挿通孔の空間を小さく設けると、逆にベルトを取り付けた厚めの生地を挿通孔に挿通することが困難となる。従って、取り付ける生地の厚さに応じた基体を数種類設けることが必要となり、製造時における管理が煩雑となる、コストが増大する虞があった。
【０００５】
そこで、本発明はこのような問題点を解決するものであって、主としてズボンやスカート等のウエストサイズを調整する為にウエスト部に取付けて使用され、これらのサイズを一定範囲内において調整可能とするとともに、取り付ける生地の厚さに関わらず基体の挿通孔を確保するウエストサイズ調節具を提供することを課題とする。
【課題を解決するための手段】
【０００６】
（削除）
【０００７】
前記問題点を解決するために、本発明の請求項１に記載の発明のウエストサイズ調節具は、調節突部を所定間隔で配設したベルトと、ベルトの挿通孔を横設し取付部を備える基体と、挿通孔に直交して可動し調節突部と係脱可能な係止突部を備える操作部とから形成され、基体の上端部に形成される貫通孔の下端面と、操作部の頭部から一端面側に突出して形成される係合部とが係合するウエストサイズ調節具において、操作部は、頭部の下端から係止突部を備えるベース部を延設し、ベース部の下端から弾性を有する脚部を延設して形成され、操作部の脚部は略く字状に形成され、下方に位置する当接片が底部と平行に形成され、基体の取付部に弾性を有する湾曲部を覆設部方向に突出させ、操作部の頭部を押圧することで、基体における底部の上端面を押圧して脚部が屈設することを特徴とするものである。
【０００８】
また、本発明の請求項２に記載の発明のウエストサイズ調節具は、請求項１に記載のウエストサイズ調節具において、基体における覆設部に貫通孔を設け、係止突部と対向するベース部の端面にガイド部を突出させ、ガイド部が貫通孔に嵌入するものである。
【０００９】
また、本発明の請求項３に記載の発明のウエストサイズ調節具は、請求項１又は請求項２に記載のウエストサイズ調節具において、基体の底部に操作部を収納する溝部を備えるものである。
【００１０】
また、本発明の請求項４に記載の発明のウエストサイズ調節具は、請求項１乃至請求項３のいずれか１項に記載のウエストサイズ調節具において、基体の湾曲部にリブを備えるものである。
【発明の効果】
【００１１】
請求項１に記載のウエストサイズ調節具に係る発明では、基体の取付部に弾性を有する湾曲部を覆設部方向に突出させるので、ベルトが取り付けられるズボン等のウエスト部が分厚い場合であっても、湾曲部が弾性変形することから、ベルトを挿通孔に挿通させにくくなる虞もない。これにより、ウエスト部の生地の厚さに影響されることなく、基体の挿通孔を確保することができるので、取り付ける生地の厚さに応じた基体を数種類設ける必要がなくなり、製造時における管理が容易となり、コストも低減することができる。
【００１２】
そして、操作部の脚部は略く字状に形成され、下方に位置する当接片が底部と平行に形成されるので、操作部の押圧時に脚部は底部に対して摺動することなく、当接片の全面にて面接触することから、摺動による摩耗が生じることなく長期に亘り使用することができる。
【００１３】
また、請求項２に記載のウエストサイズ調節具に係る発明では、請求項１に記載のウエストサイズ調節具において、基体における覆設部に貫通孔を設け、係止突部と対向するベース部の端面にガイド部を突出させ、ガイド部が貫通孔に嵌入するので、操作部の可動において、ガイド部を貫通孔に沿った状態で可動させることができ、がたつくことなく円滑に可動させることができる。
【００１４】
また、請求項３に記載のウエストサイズ調節具に係る発明では、請求項１又は請求項２に記載のウエストサイズ調節具において、基体の底部に操作部を収納する溝部を備えるので、操作部を下端にて支持し安定した状態で可動させることができる。
【００１５】
また、請求項４に記載のウエストサイズ調節具に係る発明では、請求項１乃至請求項３のいずれかに記載のウエストサイズ調節具において、基体の湾曲部にリブを備えるので、ズボン等のウエスト部が分厚い際、弾性変形する湾曲部を補強することができる。
【図面の簡単な説明】
【００１６】
【図１】本発明の実施例におけるウエストサイズ調節具の構成部品の斜視図である。
【図２】本発明の実施例におけるウエストサイズ調節具を構成する基体の（ａ）背面図、及び（ｂ）Ａ−Ａ断面図である。
【図３】本発明の実施例におけるウエストサイズ調節具を構成する操作部の（ａ）斜視図、及び（ｂ）Ｂ−Ｂ断面図である。
【図４】本発明の実施例におけるウエストサイズ調節具の操作部を操作する前の図５におけるＤ−Ｄ縮小断面図である。
【図５】本発明の実施例におけるウエストサイズ調節具の操作部を操作する前の図４におけるＣ−Ｃ拡大断面図である。
【図６】本発明の実施例におけるウエストサイズ調節具の操作部を操作した後の図７におけるＦ−Ｆ縮小断面図である。
【図７】本発明の実施例におけるウエストサイズ調節具の操作部を操作した後の図６におけるＥ−Ｅ拡大断面図である。
【発明を実施するための形態】
【００１７】
以下、本発明の実施の形態におけるウエストサイズ調節具を図面に基づいて説明する。
【実施例】
【００１８】
本発明のウエストサイズ調節具の実施例について、図１乃至図７に基づいて説明する。本願発明の実施の形態に係るウエストサイズ調節具１は、図１に示すように、ズボン等の一方のウエスト部に設置される基体２、基体２と係合する操作部３及び他方のウエスト部５に設置されるベルト４から構成される。
【００１９】
図１及び図２に示すように、基体２はナイロン等の熱可塑性樹脂により形成され、取付部２ａ、取付部２ａから突出して形成される上端部２ｂ及び底部２ｃ、上端部２ｂ及び底部２ｃを連設する側部２ｄ、覆設部２ｅが一体に形成される。
【００２０】
取付部２ａは略長方形状の板状体に形成され、一端面の上下端部には上端部２ｂ及び底部２ｃが突出して形成されている。また、上下方向に略長方形状の貫通孔２ｈを有する覆設部２ｅが取付部２ａと対向するようにして、上端部２ｂ及び底部２ｃを連設して形成されている。更に、覆設部２ｅから取付部２ａに向けて突出し、上端部２ｂ及び底部２ｃを連設するようにして側部２ｄが形成されている。側部２ｄと取付部２ａの間は、ベルト４を左右方向に挿通する挿通孔２ｆが形成されており、上端部２ｂには略長方形状の貫通孔２ｇが形成されている。
【００２１】
取付部２ａの略中央部には、弾性を有するよう弓状に形成される湾曲部２ｉが覆設部２ｅ方向に突出して設けられ、図２（ａ）に示すように、湾曲部２ｉには上下方向に補強の為のリブ２ｊが所定の間隔を有して２本設けられている。当該湾曲部２ｉは、覆設部２ｅの幅と略同等の幅を有してなり、覆設部２ｅに対向するようにして形成される。
【００２２】
また、図２（ｂ）に示すように、基体２の内部であって、覆設部２ｅ側の底部２ｃの上端面には、溝部２ｋが凹設して設けられている。当該溝部２ｋは、上方の貫通孔２ｇより挿通される操作部３を下端にて支持する為に設けられている。
【００２３】
図１及び図３に示すように、操作部３はポリアセタール等の熱可塑性樹脂により形成され、基体２における上端部２ｂの貫通孔２ｇに挿入可能な大きさの頭部３ａ、頭部３ａの下方へ延設されるベース部３ｂ、及びベース部３ｂから下方へ延設される脚部３ｃが一体となって形成される。
【００２４】
頭部３ａの略中央部には、一端面側に突出する係合部３ｄが設けられる。頭部３ａより厚みが薄くなるよう段部を介して形成されるベース部３ｂには、係合部３ｄと対向する他端面側に突出するガイド部３ｅが設けられる。また、係合部３ｄと同一面側のベース部３ｂには、ベルト４における調節突部４ａと合致する係止突部３ｆが例えば４箇所に突出して形成される。更に、ベース部３ｂにおける幅方向の一端からは、弾性変形可能となるよう脚部３ｃが略く字状に延設される。当該略く字状の脚部３ｃを構成する片のうち、下方側に位置する当接片３ｇは基体２における溝部２ｋに嵌入し全面が当接するよう、水平方向に形成される。
【００２５】
図１に示すように、ベルト４は長尺の帯状体であって、ナイロン等の熱可塑性樹脂により形成され、所定の間隔で突出し、上下二段に並設される調節突部４ａを有してなる。一端面に設置される調節突部４ａは例えば略長方形状に形成され、他端面は縫着等によりズボン等のウエスト部５が取り付けられる。
【００２６】
このようにして形成される構成部品は、図４及び図５のようにして組み立てられる。具体的には、操作部３におけるガイド部３ｅを基体２における覆設部２ｅ側に配置させた状態で、基体２における上端部２ｂの貫通孔２ｇに操作部３を脚部３ｃから挿入し、脚部３ｃの当接片３ｇを溝部２ｋへ嵌入させ下端を支持するとともに、ガイド部３ｅを覆設部２ｅにおける貫通孔２ｈを嵌入させ、係合部３ｄを基体２における上端部２ｂの下端面と当接させる。これにより、操作部３が上方へ脱抜するのが防止され、両者は係合し、ウエストサイズ調節具１は組み立てられる。
【００２７】
このようにして組み立てられるウエストサイズ調節具１は、図４乃至図７のようにして使用される。縫着等によりズボン等の一方のウエスト部（図示しない）に操作部３を嵌入した基体２を取り付けた状態において、図６及び図７に示すように、操作部３の頭部３ａを上方より押圧することで、当接片３ｇの全面を溝部２ｋと当接させて脚部３ｃを屈設させ、操作部３全体を下方へ位置させる。これにより、係止突部３ｆの位置も下方へ移動するので、ベルト４の調節突部４ａが係止突部３ｆに当接することなく、他方のウエスト部５に取り付けたベルト４を基体２の挿通孔２ｆへと挿通させることができる。
【００２８】
頭部３ａへの押圧を解除すると、図４及び図５に示すように、操作部３の脚部３ｃの弾性力により、操作部３は上方へ移動し、係合部３ｄが基体２における上端部２ｂの下端面と当接した状態となる。当該状態において、左右方向に隣接する調節突部４ａの間隙に係止突部３ｆが位置するので、ベルト４を左右方向に可動させることができず、ウエストサイズを保持することができる。これらを繰り返すことで、ウエストサイズを調節することができる。
【００２９】
以上、説明した本発明の実施例に係るウエストサイズ調節具１によれば、基体２における取付部２ａに弾性を有し弓状に形成される湾曲部２ｉを有するので、ベルト４が取り付けられるウエスト部５が分厚い場合であっても、湾曲部２ｉが弾性変形することから、ベルト４を挿通孔２ｆに挿通させにくくなる虞もない。これにより、ウエスト部５の生地の厚さに影響されることなく、基体２の挿通孔２ｆを確保することができるので、取り付ける生地の厚さに応じた基体２を数種類設ける必要がなくなり、製造時における管理が容易となり、コストも低減することができる。
【００３０】
また、脚部２ｃの当接片３ｇを基体２における底部２ｃの溝部２ｋに対して平行に形成したことから、当接片３ｇの全面にて安定した状態で当接させることができる。更に、基体２における覆設部２ｅの貫通孔２ｈに操作部３のガイド部３ｅを嵌入させるので、操作部３の可動において、ガイド部３ｅが貫通孔２ｈに沿った状態で可動させることができ、がたつくことなく円滑に可動させることができる。また、操作部３の押圧時に、脚部３ｃは底部２ｃに対して摺動することなく、当接片３ｇの全面にて面接触することから、摺動による摩耗が生じることなく長期に亘り使用することができる。
【００３１】
また、本実施例においては、ベルト４における調節突部４ａ、操作部３における係止突部３ｆを一段にして、全体をコンパクトにすることもできる。更に、操作部３における脚部３ｃは、ベース３ｂにおける幅方向の端部から延設させることなく、例えば略中央部等から延設させることもできる。
【符号の説明】
【００３２】
１      ウエストサイズ調節具
２      基体
２ａ    取付部
２ｂ    上端部
２ｃ    底部
２ｄ    側部
２ｅ    覆設部
２ｆ    挿通孔
２ｇ、２ｈ  貫通孔
２ｉ    湾曲部
２ｊ    リブ
２ｋ    溝部
３      操作部
３ａ    頭部
３ｂ    ベース部
３ｃ    脚部
３ｄ    係合部
３ｅ    ガイド部
３ｆ    係止突部
３ｇ    当接片
４      ベルト
４ａ    調節突部
５      ウエスト部
【図１】
0005507977.tif 000002
【図２】
0005507977.tif 000003
【図３】
0005507977.tif 000004
【図４】
0005507977.tif 000005
【図５】
0005507977.tif 000006
【図６】
0005507977.tif 000007
【図７】
0005507977.tif 000008